(57)【要約】【課題】着用者の背中に対するフィット性が向上しており、優れた装着感や漏れ防止性能が得られる使い捨ておむつを提供すること。【解決手段】本発明の使い捨ておむつ１は、ファスニングテープ５を有する背側部Ａ、股下部Ｂ、及び前記ファスニングテープを止着するランディングテープ６を有する腹側部Ｃを備えており、背側部Ａに、ウエスト端縁１１から股下部Ｂ方向へ向かって延びるタック部９，９が形成されている。タック部９，９は、おむつの一部が折り畳まれ、その折り畳まれた部分の一部における相対向面同士が接合されて形成されている。また、タック部９，９は、ウエスト端縁１１から所定幅の部分が、前記相対向面同士が接合されていない非固着部９２となされている。【選択図】図１
2010099278.tif 000002
【特許請求の範囲】
【請求項１】
ファスニングテープを有する背側部、股下部、及び前記ファスニングテープを止着するランディングテープを有する腹側部を備えた使い捨ておむつにおいて、
前記背側部に、ウエスト端縁から股下部方向へ向かって延びるタック部が形成されており、
前記タック部は、おむつの一部が折り畳まれ、その折り畳まれた部分の一部における相対向面同士が接合されて形成されており、
前記タック部は、前記ウエスト端縁から所定幅の部分が、前記相対向面同士が接合されていない非固着部となされている、使い捨ておむつ。
【請求項２】
前記タック部は、前記背側部における前記ウエスト端縁と前記吸収体の端縁の位置との間に、前記非固着部、前記相対向面同士が接合された固着部、及び該固着部よりも股下部側に形成され前記相対向面同士が接合されていない第２非固着部を有する、請求項１記載の使い捨ておむつ。
【請求項３】
前記股下部における前記吸収体の両側縁それぞれの外方に一対のレッグ部弾性部材が配されており、前記タック部は、おむつ幅方向における、一方のレッグ部弾性部材の位置と他方のレッグ部弾性部材の位置との間に形成されている、請求項１又は２記載の使い捨ておむつ。
【請求項４】
前記タック部は、おむつ幅方向において、前記吸収体の両側縁それぞれの位置と、該各側縁の外方に位置する前記レッグ部弾性部材の位置との間に形成されている、請求項３記載の使い捨ておむつ。
【請求項５】
前記タック部は、前記吸収体の幅内に形成されている、請求項１〜３の何れかに記載の使い捨ておむつ。
【請求項６】
前記非固着部は、前記ウエスト端縁からの長さが５ｍｍ以上である、請求項１〜５の何れかに記載の使い捨ておむつ。
【発明の詳細な説明】
【技術分野】
【０００１】
本発明は、使い捨ておむつに関する。
【背景技術】
【０００２】
従来の使い捨ておむつ、特にファスニングテープを有する背側部のウエストフラップ部に、おむつ幅方向に伸縮する弾性部材を有しない使い捨ておむつにおいては、着用者の姿勢によっては、着用者の肌とウエストフラップ部との間に隙間が生じ易く、この隙間を介して、背中側に排泄物が漏れ出す恐れがある。
胴回り域からの漏れを防止する技術として、着用者の腹側及び／又は背側に配される胴回り域に、おむつ長手方向の端縁から縦方向へ延びるタック部を形成することが提案されている（特許文献１参照）。
また、腹側に配されるウエスト端縁の近傍に、該ウエスト端縁から股下部方向へ延びるダーツを設けたおむつも知られている（特許文献２参照）。更に、ファスニングテープを有する背側部の裏面シート側に折込部を形成すると共に、該折込部を跨ぐように弾性シートを止着した使い捨ておむつが知られている（特許文献３参照）。
【０００３】
【特許文献１】特開２００１−１３７２８０号公報
【特許文献２】実開昭６２−１３２１０７号公報
【特許文献３】実開平７−１５０１８号公報
【発明の開示】
【発明が解決しようとする課題】
【０００４】
しかし、特許文献１，２におけるタック部やダーツは、折り畳まれた部分のウエスト端縁近傍又はその全体が、再び展開しないように固定されているため、図７に示すように、着用者が仰臥位の時や直立時には、ウエスト端縁１１近傍が肌に強く当たり、肌に刺激を与えたり、着用感やフィット感が低下したりする。また、そのように、ウエスト端縁１１近傍が肌に比較的強く当たることにより、そのウエスト端縁近傍より下方に肌から浮いた部分Ｓが生じ、その隙間を介して漏れが生じ易くなることもある。
特許文献３の使い捨ておむつは、前記折込部を跨ぐ弾性シートが伸縮することにより、着用者の体型にフィットするものであるが、弾性シートが最大限に伸長していない時には、おむつの肌当接面における、前記折込部に対応する部分に、隆起部やシワ、折り目等が生じており、それらの対向面同士が接着していないため長手方向に空洞状の隙間が生じ、背中側への漏れが生じ易くなる恐れがある。また、裏面シートに止着してある弾性シートの端縁が衣服などにひっかかったり、めくれて衣服と接着したりという不具合が起こるおそれがある。
【０００５】
従って、本発明の目的は、着用者の背中に対するフィット性が向上しており、着用感や漏れ防止性能に優れた使い捨ておむつを提供することにある。
【課題を解決するための手段】
【０００６】
本発明は、ファスニングテープを有する背側部、股下部、及び前記ファスニングテープを止着するランディングテープを有する腹側部を備えた使い捨ておむつにおいて、前記背側部に、ウエスト端縁から股下部方向へ向かって延びるタック部が形成されており、前記タック部は、おむつの一部が折り畳まれ、その折り畳まれた部分の一部における相対向面同士が接合されて形成されており、前記タック部は、前記ウエスト端縁から所定幅の部分が、前記相対向面同士が接合されていない非固着部となされている、使い捨ておむつを提供することにより前記目的を達成したものである。
【発明の効果】
【０００７】
本発明の使い捨ておむつは、着用者の背中に対するフィット性が向上しており、装着感や漏れ防止性能に優れている。また、裏面シート側に弾性シートが止着しているもののような衣服への不具合も起こらない。
【発明を実施するための最良の形態】
【０００８】
以下本発明を、その好ましい実施形態に基づき説明する。
図１は、本発明の一実施形態である使い捨ておむつを一部破断して示す平面図である。
本実施形態の使い捨ておむつ１（以下、単におむつ１ともいう）は、図１に示すように、液透過性の表面シート２、液不透過性又は撥水性の裏面シート３、及びこれら両シート２，３間に配された吸収体４を具備する。
おむつ１は、いわゆる展開型のおむつであり、長手方向の一方の端縁１１から他方の端縁１２に向かって順に、ファスニングテープ５，５を有する背側部Ａ、股下部Ｂ、及びファスニングテープ５，５を止着するランディングテープ６を有する腹側部Ｃを備えている。ファスニングテープ５，５は、背側部Ａの左右両側縁部に設けられ、ランディングテープ６は、腹側部Ｃの外表面（非肌当接面）に設けられている。おむつの着用時には、通常、背側部Ａを着用者の背中側に位置させ、腹側部Ｃを着用者の腹側に位置させる。股下部Ｂは、着用者の股間に配される。
【０００９】
表面シート２は、吸収体４よりも幅の大きい矩形状の平面視形状を有しており、裏面シート３の幅方向中央部に配されている。表面シート２は、おむつ１の長手方向の全長に亘って配されている。裏面シート３は、おむつの外形形状に一致する砂時計状の外形を有している。
おむつ１の長手方向両側それぞれには、弾性部材７１を有する立体ギャザー形成用シート７２が、表面シート２の両側部を覆うように配されている。立体ギャザー形成用シート７２は、おむつ幅方向においては、図１に示す直線７２ａより外方、おむつ長手方向においては、図１に示す直線７２ｂ、７２ｃより外方が、その下に配されたシート材（表面シート２又は裏面シート３）に接着剤を介して接合されている。他方、直線７２ａ、直線７２ｂ及び直線７２ｃに囲まれた部分は、その下に配されたシート材に固定されておらず、該シート材から離間して起立し、立体ギャザー７，７を形成する。
【００１０】
おむつ１の股下部Ｂにおける、吸収体４の長手方向の両側縁４１，４１それぞれの外方には、一対のレッグ部弾性部材８，８が配されている。レッグ部弾性部材８，８は、伸長状態で、裏面シート３と立体ギャザー形成用シート７２との間に固定されており、脚廻りに配されるレッグ部にレッグギャザーを形成する。
【００１１】
図１に示すように、本実施形態のおむつ１における背側部Ａには、ウエスト端縁１１から股下部Ｂ方向へ向かって延びるタック部９，９が形成されている。
タック部９，９は、背側部Ａにおけるウエストフラップ部Ｄに形成されており、また、おむつの長手方向に延びる中央線ＣＬの両側それぞれに形成されている。
ここで、ウエストフラップ部Ｄは、図１に示すように、おむつ長手方向における、ウエスト端縁１１と吸収体４の端縁４２の位置との間の領域であり、ウエスト端縁１１とは、おむつ１の長手方向の両端に存する端縁１１，１２のうちの一方であり、吸収体４の端縁４２は、吸収体４の長手方向の両端縁のうち、前記ウエスト端縁１１に近い方の端縁である。
【００１２】
図２は、図１に示す２つのタック部９，９のうち、右側のタック部９を示す拡大図である。２つのタック部９，９は、おむつの長手方向に延びる中央線ＣＬに対して線対称である以外は、同様の構成を有している。
【００１３】
本実施形態におけるタック部９は、図２に示すように、おむつ１の一部１３が折り畳まれ、その折り畳まれた部分１３の一部９１における相対向面（面１４と面１４、及び面１５と面１５）同士が接合されて形成されている。
折り畳まれてタック部９を形成する、おむつ１の一部１３は、上述したウエストフラップ部Ｄの一部であり、上述した立体ギャザー形成用シート７２、表面シート２及び裏面シート３が積層された構成の積層体１０からなる。
【００１４】
タック部９における積層体１０は、図２に示すように、おむつ１の長手方向に沿って延びる２本の折り曲げ部１６，１７それぞれにおいて折り曲げられており、その厚み方向の全体が一体的にＺ字状に折り畳まれている。
２本の折り曲げ部１６，１７のうち、おむつ中央線ＣＬに近い方の折り曲げ部１６においては、ウエストフラップ部Ｄを構成する積層体１０が、肌当接面側の面１０ａが山、非肌当接面の面１０ｂが谷となるように折り曲げられており、その折り曲げにより、折り畳まれた部分１３に、相対向する２面１４，１４が生じている。
２本の折り曲げ部１６，１７のうち、おむつ中央線ＣＬから遠い方の折り曲げ部１７においては、ウエストフラップ部Ｄを構成する積層体１０が、肌当接面側の面１０ａが谷、非肌当接面側の面１０ｂが山となるように折り曲げられており、その折り曲げにより、折り畳まれた部分１３に、相対向する他の２面１５，１５が生じている。
【００１５】
タック部９は、図２及び図３（ｂ）に示すように、おむつ１の長手方向における背側部Ａのウエスト端縁１１と吸収体４の端縁４２の位置との間、即ち、背側部Ａのウエストフラップ部Ｄに、上述した相対向面同士（面１４と面１４及び面１５と面１５）が接合された固着部９１を有している。吸収体４の端縁４２の位置には、図２に示すように、吸収体４の前記端縁４２をおむつ幅方向と平行に延長した延長線４２ａの位置も含まれる。
本実施形態における固着部９１においては、図３（ｂ）に示すように、前述した２組の相対向面同士（面１４と面１４、及び面１５と面１５）がそれぞれ接着剤１８を介して接合されている。
【００１６】
本実施形態のおむつ１におけるタック部９は、図２及び図３（ａ）に示すように、ウエスト端縁１１から所定幅の部分が、相対向面同士（面１４と面１４、及び面１５と面１５）が接合されていない非固着部９２となされている。
【００１７】
本実施形態のおむつ１によれば、背側部Ａに、おむつ幅方向に引っ張る力が加わったときに、タック部９における固着部９１は、その折り畳まれた状態を維持し、おむつ長手方向における該固着部９１を有する部分９１Ａの胴回り方向の寸法があまり拡大しない一方、非固着部９２においては、相対向面間にずれが生じ、タック部９が、折り畳まれた状態から、やや展開した状態あるいは完全に展開した状態となることができる。
【００１８】
そのため、図４に示すように、背側部Ａのウエスト端縁１１の近傍が、仰臥位時や直立時における着用者の背中に当接しても、その部分は、タック部９の非固着部９２が存することによって胴回り方向に柔軟に拡縮可能な部分９２Ａとなっているため、当該部分９２Ａにより肌が強く刺激されたり、違和感が生じたりすることが防止される。
他方、背側部Ａのウエスト端縁１１から所定幅離間した部位９１Ａには、前述した固着部９１が存在し、タック部９の存在によって絞られたおむつの幅が比較的安定に維持されるため、ファスニングテープ５を引っ張りランディングテープ６に止着することにより、効果的に該部位９１Ａを、着用者の背中の湾曲した部分９４に良好にフィットさせることができる。そして、その良好なフィット性が、ウエスト端縁１１近傍が柔軟に拡縮可能な部分９２Ａとなっていることによって妨げられることもない。そのため、フィット性及び漏れ防止性能に優れている。
【００１９】
ウエスト端縁１１が背中に当たることによる肌への刺激や違和感を防止する観点等から、タック部９の非固着部９２の長さＬ１（図２参照）は、ウエスト端縁１１と吸収体４の端縁４２との間の距離Ｌ２に対して１０〜９０％であることが好ましく、より好ましくは２０〜６０％であり、更に好ましくは２５〜５０％である。
但し、前記長さＬ１は、５ｍｍ以上であることが好ましく、より好ましくは１０ｍｍ以上である。前記長さＬ１の上限については、該長さＬ１が５０ｍｍ以下であることが好ましい。
【００２０】
また、ファスニングテープ５の位置との関係で言えば、着用者の背中に対するフィット性の向上等の観点から、タック部９の非固着部９２の長さＬ１（図２参照）は、ウエスト端縁１１から、ファスニングテープ５の基端部５１のおむつ長手方向の中点５１ａまでの長さＬ３（図１参照）の１０〜９０％であることが好ましく、より好ましくは１５〜７０％であり、更に好ましくは２０〜５０％である。
【００２１】
個々のタック部９のおむつ幅方向の長さＬ４〔図３（ａ）参照〕は、２〜１０ｍｍであることが好ましく、より好ましくは３〜７ｍｍである。本実施形態におけるようにタック部９をおむつの幅方向に複数形成する場合、それらのタック部９のおむつ幅方向の長さＬ４の合計は、背側部Ａのウエスト端縁１１の全長Ｌ５（図１参照）の１〜１０％であることが好ましく、より好ましくは１．５〜８％であり、更に好ましくは２〜５％である。
【００２２】
本実施形態のおむつ１におけるタック部９は、図２及び図３（ｃ）に示すように、前述した固着部９１よりも股下部Ｂ側にも、前記相対向面同士（面１４と面１４、及び面１５と面１５）が接合されていない第２非固着部９３を有している。このような第２非固着部９３を設けることにより、吸収体の端縁４２の近傍および吸収体４にしわを生じさせることなく胴周り寸法を縮小させることができる。
【００２３】
タック部９の第２非固着部９３の長さＬ６（図２参照）は、ウエスト端縁１１と吸収体４の端縁４２との間の距離Ｌ２に対して１５〜９５％であることが好ましく、より好ましくは２５〜８０％であり、更に好ましくは４０〜７０％である。
また、前記長さＬ６の下限は、５ｍｍ以上であることが好ましく、より好ましくは１０ｍｍ以上である。
【００２４】
また、本実施形態のおむつ１におけるタック部９は、図１に示すように、おむつの幅方向における、一方のレッグ部弾性部材８の位置と他方のレッグ部弾性部材８の位置との間（図５中にＧで示す範囲）に形成されている。一方のレッグ部弾性部材８の位置及び他方のレッグ部弾性部材８の位置とは、図５に示すように、おむつ１の左右両側にそれぞれ複数本のレッグ部弾性部材８が配されている場合には、おむつの左右それぞれにおいて、おむつ幅方向の最も外側に位置するレッグ部弾性部材８ａ，８ａの位置Ｐ８，Ｐ８とする。
このように、タック部９，９を、レッグ部弾性部材８ａ，８ａの位置Ｐ８，Ｐ８間に設けることが、タックにより胴周り寸法を縮める部分が着用者の背部に位置するため、ウエストフラップ部に生じやすい肌との隙間を解消する観点から好ましい。
【００２５】
また、本実施形態のおむつ１におけるタック部９は、図１に示すように、吸収体４の幅内（図５中にＥで示す範囲）に形成されている。
タック部９が吸収体４の幅内にあると、吸収体４の長手方向の端部（端縁４２近傍）の、着用者の肌に対するフィット性を向上させることができる。この構成は、ウエスト端縁１１と吸収体の端縁４２との間の距離Ｌ２（図２参照）が比較的広い場合、例えば前記距離Ｌ２が２５ｍｍ以上、特に３０〜６０ｍｍの場合に、より好ましい。
【００２６】
おむつ１における各部の形成材料について説明すると、表面シート２、裏面シート３、吸収体４、立体ギャザー形成用シート７２等としては、従来の使い捨ておむつにおいて、それぞれの材料として従来用いられている各種の材料等を、特に制限なく用いることができる。例えば、表面シート２としては、各種製法による不織布や、開孔フィルム、これらの積層体等を用いることができ、吸収体４としては、パルプ繊維等からなる繊維集合体（不織布でも良い）又はこれに高吸水性ポリマーを保持させたものを、ティッシュペーパーや透水性の不織布で被覆してなるもの等を用いることができる。また、裏面シート３としては、透湿性又は非透湿性の樹脂フィルムやこれに不織布を一体化させた積層体等を用いることができ、立体ギャザー形成用シート７２としては、撥水性の不織布（サーマルボンド不織布、スパンボンド不織布、スパンボンドーメルトブローンースパンボンド不織布、スパンボンドーメルトブローンーメルトブローンースパンボンド不織布等）や、樹脂フィルムと不織布との積層体等を用いることができる。
【００２７】
以上、本発明の使い捨ておむつの一実施形態を示して本発明を説明したが、本発明は、前述した実施形態に制限されるものではなく、本発明の趣旨を逸脱しない範囲において種々変形可能である。
例えば、上述したおむつ１におけるタック部９は、吸収体４の幅内に形成されていたが、図５中に示すタック部９’のように、おむつ幅方向における、吸収体の両側縁４１，４１それぞれの位置と、該各側縁４１の外方に位置するレッグ部弾性部材８の位置Ｐ８との間（図５中に符号Ｆで示す範囲）にタック部を形成することもできる。
タック部９’を、そのような部位Ｆに設けることにより、吸収体４の端縁４２の近傍にゆがみが生じるのを防止でき、吸収体４と肌との間の隙間を一層防止することができる。この構成は、ウエスト端縁１１と吸収体の端縁４２との間の距離Ｌ２（図２参照）が比較的狭い場合、例えば前記距離Ｌ２が３０ｍｍ以下、特に１５〜２５ｍｍの場合に、より好ましい。
【００２８】
また、上述したおむつ１における固着部９１においては、２組の相対向する面同士が接合されていたが、何れか一方の相対向面同士（面１４と面１４、又は面１５と面１５）のみが接合されていても良い。
また、図２に示すタック部９においては、２本の折り曲げ部のうち、おむつ中央線ＣＬに近い方の折り曲げ部１６において、肌当接面側の面１０ａが山、非肌当接面の面１０ｂが谷となるように折り曲げられており、ＣＬから遠い方の折り曲げ部１７においては、肌当接面側の面１０ａが谷、非肌当接面側の面１０ｂが山となるように折り曲げられているが、その逆に、おむつ中央線ＣＬに近い方の折り曲げ部において肌当接面側の面１０ａが谷、非肌当接面側の面１０ｂが山となるように折り曲げてもよい。
【００２９】
更に、固着部９１における相対向面同士の接合には、接着剤に代えて、ヒートシール、超音波シール、高周波シール等の各種公知の接合方法を用いることもできる。
図６は、背側部のウエストフラップ部の一部をＺ字状に折り畳み、その部分を一体的にヒートシールにより接合した例である。ヒートシールは、折り畳んだ部分を、２つの円形のピンで一体的に加熱して行ってある。ヒートシール等にて固着部９１を形成した場合においても、上述したおむつ１と同様の効果が得られる。
【００３０】
また、タック部を形成するために折り畳む、おむつの一部１３は、上述したおむつ１における積層体１０からなるものに限られず、ウエストフラップ部を構成可能な他の構造を有するものであっても良い。例えば、表面シート２及び裏面シート３のみが積層された構造であっても良いし、裏面シート３及び立体ギャザー形成用シート７２のみが積層された構造であっても良い。また、立体ギャザー形成用シート７２、表面シート２及び裏面シート３に加えて更に他のシートが積層された構造であっても良い。
【００３１】
本発明の使い捨ておむつにおいては、背側部Ａのウエストフラップ部Ｄに、おむつ幅方向に沿って弾性部材を配する必要はないが、そのような弾性部材を配しても良い。例えば、左右のタック部９，９に挟まれた部分に、タック部９，９と重ならないように弾性部材を配することもできる。
【図面の簡単な説明】
【００３２】
【図１】図１は、本発明の一実施形態である使い捨ておむつを一部破断して示す平面図である。
【図２】図２は、図１に示す使い捨ておむつのタック部の拡大図である。
【図３】図３は、図２に示すタック部の断面図であり、（ａ）は、図２のＩ−Ｉ線断面、（ｂ）は、図２のＩＩ−ＩＩ線断面、（ｃ）は、図２のＩＩＩ−ＩＩＩ線断面を示す図である。
【図４】図４は、図１に示す使い捨ておむつの着用状態を示す側面図である。
【図５】図５は、タック部を設ける好ましい領域を説明するための説明図である。
【図６】図６は、本発明の他の実施形態におけるタック部を示す図であり、（ａ）は、図２相当図、（ｂ）は、（ａ）は、ＩＶ−ＩＶ線断面を示す図である。
【図７】従来のおむつの着用状態を示す側面図である。
【符号の説明】
【００３３】
１  使い捨ておむつ
１１  ウエスト端縁
２  表面シート
３  裏面シート
４  吸収体
４２  吸収体の端縁
５  ファスニングテープ
６  ランディングテープ
７  立体ギャザー
８  レッグ部弾性部材
９  タック部
９１  固着部
９２  非固着部
９３  第２非固着部
Ａ  背側部
Ｂ  股下部
Ｃ  腹側部
【図１】
2010099278.tif 000003
【図２】
2010099278.tif 000004
【図３】
2010099278.tif 000005
【図４】
2010099278.tif 000006
【図５】
2010099278.tif 000007
【図６】
2010099278.tif 000008
【図７】
2010099278.tif 000009